【手続補正書】
【提出日】平成27年8月12日(2015.8.12)
【手続補正１】
【補正対象書類名】特許請求の範囲
【補正対象項目名】全文
【補正方法】変更
【補正の内容】
【特許請求の範囲】
【請求項１】
モバイル通信端末内の運動カレンダー内の計画された運動項目を追加するための方法であって、該方法は、
前記運動カレンダー内の前記計画された運動項目における計画された開始時間に対するユーザー入力を受信するステップと、
前記運動カレンダー内の前記計画された運動項目の計画された運動タイプに対するユーザー入力を受信するステップと、
前記運動カレンダー内の選択されたカレンダー項目に対する、選択された運動タイプにマッチするプレイリストを生成するステップと、
前記計画された運動項目と関連付けられた前記運動タイプの運動が開始されたと判断されたとき、前記プレイリストを演奏するステップと、を含む、
方法。
【請求項２】
前記プレイリストは、曲を含み、
前記プレイリストのなかの曲の少なくとも１つは、前記モバイル通信端末により選択される、請求項１に記載の方法。
【請求項３】
前記少なくとも１つの曲は、前記モバイル通信端末により、ランダムに選択されるか、または、前記モバイル通信端末により、最も演奏される曲のなかから選択される、請求項２に記載の方法。
【請求項４】
前記計画された運動項目は、少なくとも1つの運動期間を含み、
前記方法は、前記少なくとも1つの運動期間にマッチさせるために、前記プレイリストにおける少なくとも１つの曲を打切るステップを更に含む、請求項１ないし３のいずれか１項に記載の方法。
【請求項５】
前記プレイリストは、運動スケジュールの中の項目に結びついている、請求項１ないし４のいずれか１項に記載の方法。
【請求項６】
前記運動タイプが、サイクリング、ランニング、ウォーキングを含むグループからの１つである、請求項１に記載の方法。
【請求項７】
プレイリストを生成する前記ステップは、前記計画された運動項目に関連付けられた計画された運動の少なくともサブセットである、少なくとも１つの運動期間を決定するステップであって、前記少なくとも１つの運動期間の各々が、関連づけられた運動強度を有している、ステップと、
前記少なくとも１つの運動期間の各々において、前記運動強度に合致する分当たりのビートの範囲を決定するステップと、
前記少なくとも１つの運動期間の各々において、少なくとも１つの曲を提示するステップであって、該曲は前記モバイル通信端末に利用可能であり、該曲は前記分当たりのビートの範囲に合致する分当たりのビートの測定量を有する、ステップと、
前記少なくとも１つの運動期間の各々において、前記プレイリスト内に含まれていることになる前記少なくとも１つの曲の１つを選択するためのユーザー入力を受信するステップと、を含む、請求項１に記載の方法。
【請求項８】
音楽プレイリストを生成する前記ステップは、
前記計画された運動項目に関連付けられた計画された運動の少なくともサブセットである少なくとも１つの運動期間を決定するステップであって、前記少なくとも１つの運動期間の各々は関連付けられた運動期間の強度を持つ、ステップと、
前記少なくとも１つの運動期間の各々において、前記強度に合致する分当たりのビートの範囲を決定するステップと、
前記少なくとも１つの運動期間の各々において、前記モバイル通信端末に利用可能である１つの曲を決定するステップであって、該曲は前記分当たりのビートの範囲に合致する分当たりのビートの測定量を有し、該曲は前記プレイリスト内に含まれていることになる、ステップと、を含む、
請求項１に記載の方法。
【請求項９】
運動カレンダー内の計画された運動項目における計画された開始時間に対するユーザー入力を受信するための手段と、
前記運動カレンダー内の前記計画された運動項目の計画された運動タイプに対するユーザー入力を受信するための手段と、
前記運動カレンダー内の選択されたカレンダー項目に対する、選択された運動タイプにマッチするプレイリストを生成するための手段と、
前記計画された運動項目と関連付けられた前記運動タイプの運動が開始されたと判断されたとき、前記プレイリストを演奏するための手段と、
を備えるモバイル通信端末。
【請求項１０】
前記プレイリストは、曲を含み、
前記モバイル通信端末は、前記プレイリストにおける少なくとも１つの曲を選択するための手段を備える、
請求項９に記載のモバイル通信端末。
【請求項１１】
前記モバイル通信端末は、前記少なくとも１つの曲をランダムに選択するか、または、最も演奏される曲のなかから前記少なくとも１つの曲を選択するための手段を備える、請求項１０に記載のモバイル通信端末。
【請求項１２】
前記計画された運動項目は、少なくとも1つの運動期間を含み、
前記モバイル通信端末は、前記少なくとも1つの運動期間にマッチさせるために、前記プレイリストにおける少なくとも１つの曲を打切るステップための手段を更に備える、
請求項９ないし１１のいずれか１項に記載のモバイル通信端末。
【請求項１３】
前記プレイリストは、運動スケジュールの中の項目に結びついている、請求項９ないし１２のいずれか１項に記載のモバイル通信端末。
【請求項１４】
前記運動タイプが、サイクリング、ランニング、ウォーキングを含むグループからの１つである、請求項９に記載のモバイル通信端末。
【請求項１５】
モバイル通信端末内の運動カレンダーに計画された運動項目を追加するように構成されたモバイル通信端末であって、
制御器を備え、
前記制御器は、前記運動カレンダー内の前記計画された運動項目における計画された開始時間に対するユーザー入力を受信するように構成され、
前記制御器は、前記運動カレンダー内の前記計画された運動項目の計画された運動タイプに対するユーザー入力を受信するように構成され、
前記制御器は、前記運動カレンダー内の選択されたカレンダー項目に対する、選択された運動タイプにマッチするプレイリストを生成するように構成され、
前記制御器は、前記計画された運動項目と関連付けられた前記運動タイプの運動が開始されたと判断されたとき、前記プレイリストを演奏するように構成される、
モバイル通信端末。
【請求項１６】
前記プレイリストは、曲を含み、
前記制御器は、前記プレイリストにおける少なくとも１つの曲を選択するように構成される、請求項１５に記載のモバイル通信端末。
【請求項１７】
前記制御器は、前記少なくとも１つの曲をランダムに選択するか、または、最も演奏される曲のなかから前記少なくとも１つの曲を選択するように構成される、請求項16に記載のモバイル通信端末。
【請求項１８】
前記計画された運動項目は、少なくとも1つの運動期間を含み、
前記制御器は、前記少なくとも1つの運動期間にマッチさせるために、前記プレイリストにおける少なくとも１つの曲を打切るように構成される、
請求項１５ないし１７のいずれか１項に記載のモバイル通信端末。
【請求項１９】
前記プレイリストは、運動スケジュールの中の項目に結びついている、請求項１５ないし１８のいずれか１項に記載のモバイル通信端末。
【請求項２０】
前記運動タイプが、サイクリング、ランニング、ウォーキングを含むグループからの１つである、請求項１５に記載のモバイル通信端末。
【請求項２１】
モバイル通信端末で実行されるとき、請求項１に記載の方法を実行する、ソフトウェア命令を含むコンピュータ・プログラム。
【請求項２２】
複数の楽曲を、各々ビート情報と共に格納する楽曲格納部と、
複数の運動期間を含む運動タイプが関連付けられる運動項目を入力しうる運動カレンダーであって、前記複数の運動期間には、各々対応するビート情報が関連付けられる、運動カレンダーと、
を備え、前記運動期間の前記ビート情報と、前記楽曲の前記ビート情報との一致に基づいて、前記運動項目に関するプレイリストであって、前記複数の楽曲の少なくともいずれかを含むプレイリストを生成するように構成される、
モバイル機器。
【請求項２３】
前記運動項目に対応する運動が開始されたことに応じて前記プレイリストを再生するように構成される、請求項２２に記載のモバイル機器。
【請求項２４】
複数の楽曲を、各々ビート情報と共に格納することと、
複数の運動期間を含む運動タイプが関連付けられる運動項目を運動カレンダーに入力することであって、前記複数の運動期間には、各々対応するビート情報が関連付けられる、前記入力することと、
前記運動期間の前記ビート情報と、前記楽曲の前記ビート情報との一致に基づいて、前記運動項目に関するプレイリストであって、前記複数の楽曲の少なくともいずれかを含むプレイリストを生成することと、
を含む、方法。
【請求項２５】
前記運動項目に対応する運動が開始されたことに応じて前記プレイリストを再生することを含む、請求項２４に記載の方法。
【請求項２６】
携帯デバイスの処理装置で実行されると、前記携帯デバイスに、少なくとも請求項２４又は２５に記載の方法を遂行させる命令を備える、コンピュータ・プログラム。